(57)【要約】【課題】  本発明は、例えば、操作性の点で有利な操作装置を提供することを目的とする。【解決手段】  可動の光学部材の操作を行う操作装置は、前記操作のための指令値を生成するために操作をされる操作部材と、表示部と、前記操作部材を操作された場合にとるべき前記光学部材の状態に関する情報としての第１情報と、前記光学部材の現在の状態に関する情報としての第２情報とを前記表示部に表示させる制御部と、を有することを特徴とする操作装置とを有することを特徴とする。【選択図】  図１
2019101344.tif 000002
【特許請求の範囲】
【請求項１】
可動の光学部材の操作を行う操作装置であって、
前記操作のための指令値を生成するために操作をされる操作部材と、
表示部と、
前記操作部材を操作された場合にとるべき前記光学部材の状態に関する情報としての第１情報と、前記光学部材の現在の状態に関する情報としての第２情報とを前記表示部に表示させる制御部と、
を有することを特徴とする操作装置。
【請求項２】
前記制御部は、前記第１情報を前記表示部に表示させるかを判定した結果に基づいて、前記第１情報を前記表示部に表示させることを特徴とする請求項１に記載の操作装置。
【請求項３】
前記制御部は、前記操作部材の前記操作がされていない場合は、前記第１情報を前記表示部に表示させると判定することを特徴とする請求項２に記載の操作装置。
【請求項４】
前記制御部は、前記操作部材の状態と前記光学部材の状態との間の対応関係の変更をする機能を有し、前記変更の指示に応じて前記第１情報を前記表示部に表示させ、前記指示から予め定められた時間内に前記操作部材が操作されなかった場合、前記指示を無効にすることを特徴とする請求項１乃至３のうちいずれか１項に記載の操作装置。
【請求項５】
前記制御部は、前記操作部材の予測された操作に基づく前記第１情報を前記表示部に表示させることを特徴とする請求項１乃至３のうちいずれか１項に記載の操作装置。
【請求項６】
前記制御部は、前記操作部材の状態と前記光学部材の状態との間の対応関係の変更をする機能を有し、該変更の指示としての前記予測された操作に基づく前記第１情報を前記表示部に表示させること
を特徴とする請求項５に記載の操作装置。
【請求項７】
前記制御部は、前記第１情報と前記第２情報とを、それらを識別できるように、前記表示部に表示させることを特徴とする請求項１乃至６のうちいずれか１項に記載の操作装置。
【請求項８】
前記制御部は、前記第１情報を前記表示部に点滅表示させることを特徴とする請求項７に記載の操作装置。
【請求項９】
前記制御部は、前記第１情報と前記第２情報とを、並行して、前記表示部に表示させることを特徴とする請求項７又は８に記載の操作装置。
【請求項１０】
前記操作部材は、前記光学部材の１つの状態に対応する前記指令値を生成するように、該状態と対応関係を有するものを含むことを特徴とする請求項１乃至９のうちいずれか１項に記載の操作装置。
【請求項１１】
前記操作部材は、前記光学部材の複数の状態のうちの１つに対応する前記指令値を生成するように、該操作部材の複数の状態と前記光学部材の複数の状態との間に対応関係を有するものを含むことを特徴とする請求項１乃至９のうちいずれか１項に記載の操作装置。
【請求項１２】
前記操作部材は、前記光学部材の状態と対応関係を有する状態をとる第１操作部材と、該対応関係の変更を指示するための第２操作部材とを含むことを特徴とする請求項１乃至９のうちいずれか１項に記載の操作装置。
【請求項１３】
可動の光学部材と、
前記光学部材の操作を行う請求項１乃至１１のうちいずれか１項に記載の操作装置と、
を有することを特徴とするレンズ装置。
【請求項１４】
前記光学部材は、開口絞りユニット、ズームレンズユニット、フォーカスレンズユニット、エクステンダーレンズユニット、マクロレンズユニット、及びフランジバック調整レンズユニットのうちの１つを含むことを特徴とする請求項１３に記載のレンズ装置。
【請求項１５】
請求項１３又は１４に記載のレンズ装置と、
前記レンズ装置により形成された像を受ける撮像素子と、
を有することを特徴とする撮像装置。
【発明の詳細な説明】
【技術分野】
【０００１】
本発明は、操作装置、レンズ装置、及び撮像装置に関するものである。
【背景技術】
【０００２】
テレビカメラ等の撮像装置は、モータ等の駆動部とこの駆動部を制御する制御部とを含みうる。当該制御部に指令信号を与えるために、例えばフォーカスレンズユニットを制御するためのものとして、図１０のような操作装置１０が使用されている。操作装置１０の操作部は、回転可能であり、その回転角は、予め定められた範囲内にメカストッパーにより制限されている。これにより、当該回転角とフォーカスレンズユニットの状態（位置）との間の関係を感覚的に把握できるようになっている。特に、テレビカメラ等による動画撮影においては、フォーカスレンズユニットを所望の位置に速やかに駆動できることが望ましい。
【０００３】
特許文献１は、操作装置からの指令信号に対応する被写体距離を算出して表示部に表示する表示装置を開示している。当該表示装置により、操作者は、被写体距離を認識できる。
【先行技術文献】
【特許文献】
【０００４】
【特許文献１】特開２００２−２８７００７号公報
【発明の概要】
【発明が解決しようとする課題】
【０００５】
特許文献１に開示された従来技術では、操作装置の設定を切替えた場合、フォーカスレンズユニット等の光学要素の状態（位置）がどのように変化するかを操作者は知ることができない。
【０００６】
テレビカメラ等による動画撮影においては、フォーカスレンズユニットを所望の位置に速やかに駆動する場合や、ある被写体距離になるようにフォーカスレンズユニットを徐々に駆動する場合など、様々な操作方法がある。これらの操作方法に備えて、操作装置には、例えば、スイッチ操作等により、予め記憶した被写体距離になるようにフォーカスレンズユニットを駆動するフォーカスショット機能や、操作装置の操作部材の操作状態（操作量）とフォーカスレンズユニットに対する指令位置（指令値）との間の関係を変更して設定する設定機能等を備えたものがある。ここで、これらの機能について、図１１を参照して詳細に説明する。
【０００７】
まず、図１１（ａ）を参照して当該設定機能について説明する。同図は、当該関係の設定に３つの種類（モード）がある場合を例示し、「Ｓ」は、スタンダードモードを、「Ｎ」は、ＮＥＡＲモードを、「Ｆ」はＦＡＲモードをそれぞれ示している。また、操作部材の操作状態（回転角）が１１の場合の各モードにおける指令位置を１１０１〜１１０３として示している。図示されているように、操作部材の操作状態と指令位置との対応関係は変更することができる。従って、当該対応関係が変更されると、操作状態が同じ場合でも指令位置が変更されることになり、もって、フォーカスレンズユニットの位置が変更されることになる。
【０００８】
次に、図１１（ｂ）を参照してショット機能について説明する。操作装置は、予め記憶された位置にフォーカスレンズユニットを移動させるショット機能を有している。操作装置は、フォーカスレンズユニットの複数の位置を予め記憶可能であり、当該複数の位置は、複数のショットＮｏ．（１１０４ないし１１０７）と対応付け可能である。ところが、従来の操作装置は、当該複数のショットＮｏ．と当該複数の位置との対応関係を表示する機能を有していないため、ショット機能の実行を操作者が躊躇してしまいうる。
【０００９】
また、操作者は、以上に説明したような対応関係を予め認識できていないと、レンズユニットの意図しない操作をしてしまいうる。また、レンズユニットの意図しない操作をしないようにするためには、当該対応関係を予め確認しておく必要がある。いずれにしても、操作性の点で不利となりうる。
【００１０】
本発明は、例えば、操作性の点で有利な操作装置を提供することを目的とする。
【課題を解決するための手段】
【００１１】
上記目的を達成するために、本発明の可動の光学部材の操作を行う操作装置は、前記操作のための指令値を生成するために操作をされる操作部材と、表示部と、前記操作部材を操作された場合にとるべき前記光学部材の状態に関する情報としての第１情報と、前記光学部材の現在の状態に関する情報としての第２情報とを前記表示部に表示させる制御部と、を有する、ことを特徴とする。
【発明の効果】
【００１２】
本発明によれば、例えば、操作性の点で有利な操作装置を提供することができる。
【図面の簡単な説明】
【００１３】
【図１】実施例１における撮影システムの構成を示すブロック図。
【図３】実施例１における設定切替後情報表示の例を示す図。
【図２】実施例１における設定切替後情報表示処理の流れを示すフローチャート。
【図４】実施例１における設定切替後情報表示のその他の例を示す図。
【図５】実施例２における設定切替後情報表示の例を示す図。
【図６】実施例２における設定切替後情報表示処理の流れを示すフローチャート。
【図７】実施例２における設定切替判定処理の流れを示すフローチャート。
【図８】実施例３における撮影システムの構成を示すブロック図。
【図９】実施例３における設定切替後情報表示処理の流れを示すフローチャート。
【図１０】回転式の操作部材を示した図。
【図１１】操作装置に備える設定によるレンズ位置の変化を示す図。
【発明を実施するための形態】
【００１４】
以下に、本発明の好ましい実施の形態を、添付の図面に基づいて詳細に説明する。
【実施例１】
【００１５】
以下、図１〜４を参照して、本発明の第１の実施例による、操作装置について説明する。図１に、本発明の第１の実施例に係る撮影システムの構成を示す。撮影システムは、操作装置１００とレンズ装置（レンズ装置本体）２００、不図示のカメラ３００から構成されている。本実施例では、操作装置１００をフォーカス操作装置とし、操作者は操作装置１００を操作することで、レンズ装置２００に構成される不図示のフォーカスレンズ（可動光学部材）を駆動することができる。
【００１６】
まず、操作装置１００から説明する。
操作装置１００は、操作部１０１、位置検出部Ｄ１０２、設定部１０３、制御部Ｄ１０４、表示部１０５、通信部Ｄ１０６を有する。
【００１７】
操作部１０１は、可動の光学部材の操作のための指令値を生成するために操作され、操作者によって操作される回転式の操作部（第１操作部材）であり、メカストッパーにより操作回転角が制限されているものとする。
位置検出部Ｄ１０２は、操作部１０１の回転動作に伴い、位置信号を制御部Ｄ１０４に出力する。
設定部（第２操作部材）１０３は、操作装置１００の設定を行う設定部であり、設定を制御部Ｄ１０４に出力する。設定を変更できるものであれば何でも良く、例えばスイッチや表示部を含むユーザーインターフェースとしても良い。
【００１８】
制御部Ｄ１０４は、位置検出部Ｄ１０２からの位置信号と設定部１０３からの設定（変更の指示）に基づいてフォーカス指令値を算出し、算出したフォーカス指令位置を通信部Ｄ１０６に出力する。また、設定部１０３からの設定情報や通信部Ｄ１０６からのレンズ装置２００の情報を表示部１０５に出力する。
表示部１０５は、有機ＥＬディスプレイやＬＣＤなどの表示デバイスであり、制御部Ｄ１０４から入力される設定部１０３からの設定情報やレンズ装置２００の情報などを表示する。
通信部Ｄ１０６は、制御部Ｄ１０４からのフォーカス指令位置をレンズ装置２００に送信し、またレンズ装置２００から受信した情報を制御部Ｄ１０４に出力する。
【００１９】
次に、レンズ装置２００について説明する。
レンズ装置２００は、通信部Ｌ２０１、位置検出部Ｌ２０２、制御部Ｌ２０３、駆動部２０４から構成される。
【００２０】
通信部Ｌ２０１は、操作装置１００から受信したフォーカス指令位置などの情報を制御部Ｌ２０３に出力する。
位置検出部Ｌ２０２は、エンコーダやポテンショメータなどの位置センサであり、検出したフォーカスレンズの位置を位置信号として制御部Ｌ２０３に出力する。
制御部Ｌ２０３は、通信部Ｌ２０１からのフォーカス指令位置や位置検出部Ｌ２０２からの位置信号を基にフォーカス駆動信号を演算し、演算したフォーカス駆動信号を駆動部２０４に出力する。また、位置検出部Ｌ２０２からの位置信号など、レンズ装置２００の情報を通信部Ｌ２０１に出力する。
駆動部２０４は、制御部Ｌ２０３からのフォーカス駆動信号を出力して不図示のフォーカスレンズを駆動する。
【００２１】
次に、制御部Ｄ１０４が行う、設定切替後情報表示処理を、図２のフローチャート図を基に説明する。本実施例では設定切替後情報はフォーカスレンズ位置とし、設定を、操作部１０１の位置とフォーカスレンズ位置との関係であるフォーカスカーブ（対応関係）の設定とする。すなわち、操作部１０１の位置とフォーカスレンズ（可動光学部材）の位置との関係に影響を与える設定である。フォーカスカーブ設定の設定切替後情報については、図３で詳細に説明する。
【００２２】
まず、ステップＳ２０１では、位置検出部Ｄ１０２からの位置信号が変化していないか否かを判断し、変化していなければステップＳ２０２に進み、そうでなければステップＳ２０６に進む。
【００２３】
ステップＳ２０２では、フォーカスカーブの機能設定数を読み込み、ステップＳ２０３に進む。
ステップＳ２０３では、制御部Ｄ１０４は切替後の位置情報（第１情報）を演算し、ステップＳ２０４に進む。
ステップＳ２０４では、ステップＳ２０３で算出したフォーカスレンズ位置を設定切替後情報にセットし、ステップＳ２０５に進む。
【００２４】
ステップＳ２０５では、設定の全パターンを演算したか否かを判断し、全パターン演算していればステップＳ２０７に進み、そうでなければステップＳ２０３に進む。
ステップＳ２０６では、設定切替後情報をリセットし、ステップＳ２０７に進む。
ステップＳ２０７では、制御部Ｄ１０４は設定切替後情報を表示部１０５に出力し、処理を終了する。
【００２５】
次に、図３に、表示部１０５に表示する設定切替後情報表示の例を示す。
図中駆動範囲枠３１は、フォーカスレンズの全駆動範囲を示しており、左側をＮＥＡＲ端、右側をＦＡＲ端とする。また、現在位置３２は、現在のフォーカスレンズ位置（第２情報）を示しており、設定切替後情報３３はフォーカスカーブを切替えた場合のフォーカスレンズ位置（第１情報）を示している。また、図２のステップＳ２０２で説明したフォーカスカーブの機能設定数は、スタンダードモード（図中Ｓ）、ＮＥＡＲモード（同Ｎ）、ＦＡＲモード（同Ｆ）の３つである。また、ステップＳ２０３では、例えばＮＥＡＲモード、ＦＡＲモードのフォーカスレンズ位置を演算する。
【００２６】
以上のような表示を行うことで、フォーカスカーブ設定を変更する前に、設定を変更した場合のフォーカスレンズ位置を知ることができるようになる。
【００２７】
以上により、設定切替を実行することなしに、設定を切替えた場合の情報を表示することで、操作者が設定を切替えた場合の情報を事前に確認でき、確認したうえで設定の切替を実施可能となるため、操作装置の操作性を向上することができる。
【００２８】
本実施例においては、操作中は今の設定における情報が重要であるとして、ステップＳ２０１で説明したように、操作が無い場合にのみ設定切替後情報表示を行うようにした。しかしながら、これに限らず常時表示するようにしても良いし、操作無が一定時間継続した場合に表示するようにしても良い。
【００２９】
また、設定切替後情報表示において、操作装置内で演算した設定切替後情報を表示したが、これに限らず操作装置が接続されるレンズ装置が演算した設定切替後情報を表示するようにしても良い。
【００３０】
さらに、操作装置をフォーカス操作装置、設定をフォーカスカーブとしたが、ズーム操作装置、絞り操作装置など操作対象や設定は本実施例で説明したものに限定されない。
【００３１】
また、本実施例では、設定切替後情報を現在情報に重畳させる（並行して表示させる）方法としたが、これに限らず、設定切替後情報を瞬時に分かりやすくするため、設定切替後情報を点滅表示しても良い。
【００３２】
さらに、本実施例において、操作装置に表示部を備え、操作装置の表示部に設定切替後情報を表示したが、これに限らず表示情報をレンズ装置やカメラ装置に送信してレンズ装置やカメラ装置が備える表示デバイスに表示しても良い。
【００３３】
ここで、図４を用いて、その他の設定切替後情報表示について説明する。上述したような本実施例で説明したものに限定されない内容は、以下図４で説明する表示パターンにおいても同様のことが言える。
【００３４】
まず、図４（ａ）について説明する。図４（ａ）には、図１１（ｂ）で説明したショット機能における設定切替後情報表示の課題を解決する表示部１０５の例を示す。図示するように、ショット実行Ｎｏ．（識別符号）４１とそれに予め対応付けされた記憶位置を表示しておくことで、操作者はショット機能を実行する前にショット機能実行後のフォーカスレンズ位置を知ることが可能となる。尚、ショット機能の対象は、フォーカスレンズのみならずズームレンズや絞りでも良い。
【００３５】
次に、図４（ｂ）について説明する。操作装置には、レンズ装置の駆動範囲を制限する（またはその制限を解除する）駆動範囲制限設定がある。これにより、操作範囲全域で通常よりも狭い駆動範囲を操作するため、より高分解能での操作が可能となる。しかし、現在のレンズ位置が駆動範囲制限外にある場合、駆動範囲を制限してしまうとレンズが駆動してしまう。そこで図４（ｂ）のように、設定切替後情報（第１情報）２３（駆動範囲制限後のレンズ位置）を表示することで、設定を切替えるとレンズが動くことが事前に分かる。尚、図中の斜線部は駆動範囲制限外の領域を示している。
【００３６】
次に、図４（ｃ）について説明する。操作装置には、操作装置の操作範囲を制限する（またはその制限を解除する）操作範囲制限設定がある。これにより、制限した操作範囲のみ有効となるため、操作者が操作範囲（駆動範囲）を意識しなくても良く、決められた範囲内での操作が容易になる。しかし、現在の操作位置が操作範囲制限外にある場合、操作範囲の制限を解除してしまうとレンズが駆動してしまう。そこで図４（ｃ）のように、設定切替後情報２３（操作範囲制限解除後のレンズ位置）と現在操作位置２４を表示することで、設定を切替えるとレンズが動くことが事前に分かる。尚、図中の斜線部は操作範囲制限解除後の操作範囲有効領域を示している。
【００３７】
次に、図４（ｄ）について説明する。まず図１１（ｃ）には図１１（ａ）で説明したフォーカスカーブについて、数値設定を変更する場合の例を示している。例えば、図１１（ａ）の「Ｓ」を「５」、数値を大きくすると図１１（ａ）の「Ｎ」側へ、数値を小さくすると図１１（ａ）の「Ｆ」側へ近づいていくような設定の場合、全ての設定の場合を表示すると視認性が悪くなる場合がある。この様な場合、図４（ｄ）のフォーカスカーブ設定値４２を表示することで、設定値を大小どのように変更するとレンズ位置がどのように駆動するかを確認することが可能となる。
【００３８】
次に、図４（ｅ）について説明する。図４（ｄ）と同様のシチュエーションにおいて、図４（ｄ）では設定を変更するとレンズがどちらに動くかは分かるが、どの程度動くかは分からない。そこで、図４（ｅ）のように現在の設定値の１つ小さい値と、１つ大きい値の場合のレンズ位置を表示することで、設定変更した場合にレンズ位置がどの程度動くかを確認することが可能となる。
【００３９】
以上説明した表示パターンにより、操作装置１００またはレンズ装置２００に備える様々な種類の設定それぞれに対し、設定を切替えた場合のレンズ位置などの変更点が容易に確認できるようになる。
【実施例２】
【００４０】
以下、図５〜７を参照して、本発明の第２の実施例による、撮影システムについて説明する。
以下、実施例１で説明した内容と同様の構成要素は、同一符号で示し、説明を省略する。
本発明の第２の実施例に係る撮影システムの構成は実施例１と同様、図１を用いる。
実施例１では、操作者の操作が無い場合に常時、設定切替後情報表示を行う例を示した。本実施例では操作者が必要な時に表示する場合の例を示す。
【００４１】
まず、本実施例における設定について、図５を用いて説明する。
図５（ａ）において、図中駆動範囲枠３１は、フォーカスレンズの全駆動範囲を示しており、左側をＮＥＡＲ端、右側をＦＡＲ端とする。また、現在位置（第２情報）２２は、現在のフォーカスレンズ位置を示しており、設定切替後情報（第１情報）２３はフォーカス操作の極性を切替えた場合のフォーカスレンズ位置を示している。操作回転角に回転規制があるような操作装置では、フォーカス操作の極性を切替えた際に、フォーカスレンズがフォーカスレンズの全駆動範囲の中心を対称として逆側に動くことになる。
【００４２】
次に、本実施例において制御部Ｄ１０４が行う、設定切替後情報表示処理を、図６のフローチャート図を基に説明する。
【００４３】
ステップＳ６０１では、設定部１０３からの設定切替の指令が有るか否かを判定し、設定切替の指令があればステップＳ６０２に進み、そうでなければステップＳ６０６に進む。
ステップＳ６０２では、切り替えられた設定を読み込み、ステップＳ６０３に進む。
ステップＳ６０３では、設定切替後情報を演算し、ステップＳ６０４に進む。
ステップＳ６０４では、ステップＳ６０３で算出した設定切替後情報をセットし、ステップＳ６０５に進む。
ステップＳ６０５では、設定切替後情報を表示部１０５に出力し、ステップＳ６０６に進む。
ステップＳ６０６では、ステップＳ６０２で読み込んだ設定を実際に切替るか否かの設定切替判定処理を行い、処理を終了する。設定切替判定処理については、図７で詳細に説明する。
【００４４】
次に、本実施例において制御部Ｄ１０４が行う、設定切替判定処理を、図７のフローチャート図を参照しながら説明する。
【００４５】
ステップＳ７０１では、設定切替を実行するための条件を満たすか否かを判定し、条件を満たせばステップＳ７０２に進み、そうでなければステップＳ７０３に進む。本実施例では設定切替を実行するための条件を、操作部１０１の操作がある場合とし、制御部Ｄ１０４は位置検出部Ｄ１０２からの位置信号の変化で判定する。
ステップＳ７０２では、制御部Ｄ１０４で演算した設定切替後情報を出力し、ステップＳ７０６に進む。
【００４６】
ステップＳ７０３では、設定切替の入力から設定切替の条件を満たさない時間を測定するためカウンタをアップし、ステップＳ７０４に進む。
ステップＳ７０４では、ステップＳ７０３でカウンタアップしたカウンタが予め決められた時間を超えたか否かを判定し、超えていればステップＳ７０５に進み、そうでなければステップＳ７０７に進む。
【００４７】
ステップＳ７０５では、設定部１０３からの指令である設定切替そのものをリセットして指令を受ける前の状態に戻し、設定切替後表示情報もリセットし、ステップＳ７０７に進む。すなわち、設定切替の指令を受けたものの、その対象となる操作が所定の一定時間以上なされない場合は、その設定切替での操作を実施する意志はないものと見做して、設定を前の状態に戻し、表示情報もリセットする（無効とする）。
【００４８】
ステップＳ７０６では、設定切替後表示情報をリセットし、ステップＳ７０７に進む。
ステップＳ７０７では、設定切替後情報を表示部１０５に出力し、処理を終了する。
【００４９】
以上のように、設定切替を入力した際に、設定切替後情報表示を行い、その後の設定切替条件を満たした場合に実際に設定切替を実施することで、設定切替を行わない場合において不要な情報を表示することを回避できる。本実施例では、設定切替条件を操作者の操作とした。図５（ａ）で説明したフォーカス操作の極性設定のように、設定切替を実施した際に、多少フォーカスレンズ位置が動いても気にならない設定の場合には有効である。そうでない設定の場合には、設定切替を実施するための簡単な操作をトリガとしても良い。また、操作者の操作量に閾値を設けても良いし、各種設定によってその閾値を変えられるようにしても良い。
【００５０】
また、本実施例においては、設定切替後情報３３は、操作者に入力された設定の１つである。このため、現在位置３２と設定切替後情報３３を交互に表示するようにしても良いし、設定切替後情報３３のみ点滅させるように、現在位置３２と設定切替後情報３３とを互いに異なる表示方法で表示するようにしても良い。さらに、図５（ｂ）に示すように設定切替後情報３３が現在位置３２と変化がないことを例えば白抜き表示するなどして、強調しても良い。
【実施例３】
【００５１】
以下、図８〜９を参照して、本発明の第３の実施例による、撮影システムについて説明する。
以下、実施例１〜２で説明した内容と同様の構成要素は、同一符号で示し、説明を省略する。
本発明の第３の実施例に係る撮影システムの構成説明には、図８を用いる。
実施例２では、設定切替入力で設定切替後情報表示を行い、条件を満たした場合に設定切替を実施する例を示した。本実施例では、設定切替を予測された場合には、設定切替が入力される前に前記予測に基づく設定切替後情報を表示し、設定切替が入力されると瞬時に設定切替を実施する。
【００５２】
図８は、実施例１で説明した図１の撮影システムと比較し、操作装置１００に設定切替予測部１０７が追加されている点が異なる。
制御部Ｄ１０４は、設定部１０３からの設定や位置検出部Ｄ１０２からの位置信号の変化、通信部Ｄ１０６からの通信情報を設定切替予測部１０７に出力する。
設定切替予測部１０７は、制御部Ｄ１０４からの入力情報を基に、設定切替の予測を行い、予測結果を制御部Ｄ１０４に出力する。
【００５３】
次に、本実施例において制御部Ｄ１０４が行う、設定切替後情報表示処理を、図９のフローチャート図を基に説明する。
【００５４】
ステップＳ９０１では、設定切替予測部１０７からの入力に基づき、設定切替予測条件を満たすか否かを判定し、設定切替予測条件を満たせばステップＳ９０２に進み、そうでなければ処理を終了する。
ステップＳ９０２では、予測された設定を読み込み、ステップＳ６０３に進む。
ステップＳ６０３では、予測された設定に基づく設定切替後情報を演算し、ステップＳ６０４に進む。
ステップＳ６０４では、ステップＳ６０３で算出した設定切替後情報をセットし、ステップＳ６０５に進む。
ステップＳ６０５では、設定切替後情報を表示部１０５に出力し、処理を終了する。本実施例において、設定切替の実施は設定部に対する操作者からの入力を受け付けた際に実施されるため、実施例２の図７で説明した設定切替判定処理は不要である。
【００５５】
次に、設定切替予測について、具体的な例を挙げる。
まず、実施例１で説明した操作部の制御量と、フォーカスカーブが複数ある中から選択されたフォーカスカーブが、不図示の選択手段によって選択的に操作装置１００の不図示のスイッチに割付けられている場合は、割り付けられたフォーカスカーブに設定切替する確率が高いと予測し、該フォーカスカーブについての設定切替後情報に基づく値を表示対象としてもよい。
【００５６】
また、所定の期間内、時間内の操作頻度をカウントしておき、操作頻度が所定の頻度より高い設定を設定切替する確率が高いと予測するようにしてもよい。
【００５７】
その他、レンズ装置やカメラ装置からデフォーカス量や深度情報、レンズ位置などの情報を取得し、例えば、デフォーカス量が大きい、または、合焦点までの駆動量が大きい場合には、図４（ａ）や図４（ｂ）を表示するようにしてもよい。このような場合に、例えば、デフォーカス量に基づいて、最も合焦位置に近いと予測されるショット位置を表示するようにしてもよい。このように表示を行うことで、ユーザにとっては操作や設定のガイド表示にもなり、操作性の向上に繋がる。
【００５８】
以上のように、設定切替の予測を行って、積極的に設定切替後情報の表示を行うことで、操作者の知りたい情報を迅速に表示し、操作者の設定切替入力によって、瞬時に設定を切替えることが可能となる。
【００５９】
本実施例においては、設定切替予測の具体例として上述の様な例を挙げたが、これに限らず表示部に表示されている設定画面の種類から予測を行っても良い。さらに、予測の候補が複数ある場合などは、複数の候補の情報を交互に表示しても良いし、予め決めておいた優先順位に従って表示を行っても良い。また、予測する設定項目を設定可能にしておき、予め設定された予測機能に従って設定切替の予測を行うようにしても良い。
【００６０】
実施例においては、可動光学部材としてフォーカスレンズユニットを例示したが、本発明はこれに限定されることはない。アイリスユニット（開口絞りユニット）、ズームレンズユニット、マクロレンズユニット、エクステンダーレンズユニット、フランジバック調整レンズユニットについても同様に適用可能である。
【００６１】
本発明の操作装置と、該操作装置によって操作されるレンズ装置と、該レンズ装置によって形成された像を受ける撮像素子を有するカメラ装置とを有する撮像装置を構成することによって、本発明の操作装置の効果を享受できる撮像装置を提供することができる。
【００６２】
また、実施例では、操作装置に表示部が構成された装置として例示しましたが、本発明はこれに限定されることはなく、操作装置が接続されるレンズ装置やカメラ装置に構成されるようにしてもよいし、独立した表示装置として構成されるようにしてもよい。
【００６３】
以上、本発明の好ましい実施形態について説明したが、本発明はこれらの実施形態に限定されず、その要旨の範囲内で種々の変形及び変更が可能である。
【符号の説明】
【００６４】
１００  操作装置
１０１  操作部
１０３  設定部
１０４  演算部Ｄ
１０５  表示部
【図１】
2019101344.tif 000003
【図２】
2019101344.tif 000004
【図３】
2019101344.tif 000005
【図４】
2019101344.tif 000006
【図５】
2019101344.tif 000007
【図６】
2019101344.tif 000008
【図７】
2019101344.tif 000009
【図８】
2019101344.tif 000010
【図９】
2019101344.tif 000011
【図１０】
2019101344.tif 000012
【図１１】
2019101344.tif 000013